(57)【要約】【課題】画像のデータを出力する画像出力装置と、画像データを表示させる画像表示装置との間の伝送インタフェースにＵＳＢケーブルを用いたとしても、簡易かつ安定した画像の表示が可能な画像表示装置等を提供する。【解決手段】送信手段と、受信手段とがＵＳＢ接続にて接続線で接続されており、送信手段と、受信手段とがＶ−ｂｙ−Ｏｎｅ  ＨＳの信号にて接続可能か判定し、Ｖ−ｂｙ−Ｏｎｅ  ＨＳの信号にて送信可能な場合には、接続線を介して送信手段から受信手段に画像データを送信し、受信された画像を表示する。【選択図】図１
2016025593.tif 000002
【特許請求の範囲】
【請求項１】
データを送信する送信手段と、
データを受信する受信手段と、
前記送信手段と、前記受信手段とをＵＳＢ接続にて接続する接続線と、
前記送信手段と、前記受信手段とがＶ−ｂｙ−Ｏｎｅ  ＨＳの信号にて接続可能か判定する判定手段と、
前記判定手段により、Ｖ−ｂｙ−Ｏｎｅ  ＨＳの信号にて送信可能な場合には、前記接続線を介して前記送信手段から前記受信手段に画像データを送信する制御をする制御手段と、
前記受信手段により受信された画像を表示する表示手段と、
を備えることを特徴とする画像表示装置。
【請求項２】
前記送信手段によりデータを送信する制御を行う送信制御手段を更に有し、
前記制御手段は、前記判定手段によりＶ−ｂｙ−Ｏｎｅ  ＨＳの信号にて送信できないと判定した場合には、前記送信制御手段に通知することを特徴とする請求項１に記載の画像表示装置。
【請求項３】
前記制御手段は、前記送信手段にＵＳＢ装置が接続された場合には、ＵＳＢ装置を認識し、利用可能な制御を行うことを特徴とする請求項１又は２に記載の画像表示装置。
【請求項４】
画像を送信する画像送信装置と、画像を受信して表示する画像表示装置とを含む画像表示システムであって、
前記画像装置と、前記画像表示装置とが接続線によりＵＳＢ接続されており、
前記画像送信装置は、
前記画像表示装置と、Ｖ−ｂｙ−Ｏｎｅ  ＨＳの信号にて接続可能か判定する判定手段と、
前記判定手段により、Ｖ−ｂｙ−Ｏｎｅ  ＨＳの信号にて送信可能な場合には、前記接続線を介して、前記画像表示装置に画像を送信する画像送信手段と、
を備え、
前記画像表示装置は、前記接続線を介して、画像を受信して表示する画像表示手段を備えることを特徴とする画像表示システム。
【発明の詳細な説明】
【技術分野】
【０００１】
本発明は、画像のデータを出力する機器と、画像データを入力し、表示を行う機器において、その間の伝送インタフェースにＵＳＢのケーブルを用いる画像表示装置等に関する。
【背景技術】
【０００２】
従来、表示装置（例えば、ＬＣＤ（Liquid Crystal Display）表示装置や、有機ＥＬディスプレイ等）に画像データを表示させる場合、映像出力装置と表示装置とを接続するデジタルＩＦとしては、ＤＶＩ（Digital Visual Interface）、ＨＤＭＩ（登録商標）（High-Definition Multimedia Interface）、Ｄｉｓｐｌａｙポートといった様々な種類のものがある。
【０００３】
また、近年、コンピュータやスマートフォン、タブレットを中心とした各種情報処理装置において、ＵＳＢ（Universal Serial Bus）がデータを転送するインタフェースとして一般的に用いられている。このＵＳＢ−ＩＦを用いて画像データを伝送する場合には、ＵＳＢから、一度上記のデジタルＩＦへの変換をし、転送することで実現している（例えば、特許文献１参照）。
【先行技術文献】
【特許文献】
【０００４】
【特許文献１】特開２００８−９２５３号公報
【発明の概要】
【発明が解決しようとする課題】
【０００５】
ここで、ＵＳＢ−ＩＦを使用した表示装置においては、画像を表示するために新たなデバイスドライバが必要となってしまう。この場合、そもそもＵＳＢ−ＩＦから出力するため、ソフトウェア的な画像処理が必要となる。したがって、ＣＰＵ（Central Processing Unit）の性能によっては、表示のコマ落ちや、他のＣＰＵ処理の速度低下等が発生するといった問題点が生じていた。
【０００６】
例えば、上述した特許文献１においても、画像転送用のドライバにて実現しているため、ＣＰＵの処理に影響がでてしまい、安定したシステムを提供できないという課題が生じていた。
【０００７】
また、製造者側からみると、ＤＶＩ、ＨＤＭＩ（登録商標）、Ｄｉｓｐｌａｙポート等のインタフェースを改めて設けるとＩＦのポート数が多くなってしまい、装置の小型化という点に制約が出てしまうという問題点があった。
【０００８】
さらに、製造コストから考えると、上述したインタフェースは別途ライセンス費用が必要になったり、接続ハーネスのコストが余計にかかってしまう等の問題点があった。
【０００９】
そこで、上述した課題に鑑み、本発明は、画像のデータを出力する画像出力装置と、画像データを表示させる画像表示装置との間の伝送インタフェースにＵＳＢケーブルを用いたとしても、簡易かつ安定した画像の表示が可能な画像表示装置等を提供することである。
【課題を解決するための手段】
【００１０】
上述した課題を解決するために、本発明の画像表示装置は、
データを送信する送信手段と、
データを受信する受信手段と、
前記送信手段と、前記受信手段とをＵＳＢ接続にて接続する接続線と、
前記送信手段と、前記受信手段とがＶ−ｂｙ−Ｏｎｅ  ＨＳの信号にて接続可能か判定する判定手段と、
前記判定手段により、Ｖ−ｂｙ−Ｏｎｅ  ＨＳの信号にて送信可能な場合には、前記接続線を介して前記送信手段から前記受信手段に画像データを送信する制御をする制御手段と、
前記受信手段により受信された画像を表示する表示手段と、
を備えることを特徴とする。
【００１１】
本発明の画像表示システムは、
画像を送信する画像送信装置と、画像を受信して表示する画像表示装置とを含む画像表示システムであって、
前記画像装置と、前記画像表示装置とが接続線により接続されており、
前記画像送信装置は、
前記画像表示装置と、Ｖ−ｂｙ−Ｏｎｅ  ＨＳの信号にて接続可能か判定する判定手段と、
前記判定手段により、Ｖ−ｂｙ−Ｏｎｅ  ＨＳの信号にて送信可能な場合には、前記接続線を介して、前記画像表示装置に画像を送信する画像送信手段と、
を備え、
前記画像表示装置は、前記接続線を介して、画像を受信して表示する画像表示手段を備えることを特徴とする。
【発明の効果】
【００１２】
本発明によれば、Ｖ−ｂｙ−Ｏｎｅ  ＨＳの信号伝送インタフェースを用いて、従前の接続線（例えば、ＵＳＢケーブル）経由で表示装置（例えば、ＬＣＤ）に画像表示させることが可能となる。
【００１３】
また、既存のＵＳＢコネクタを用いて、画像表示させる機能を持つと共に、通常のＵＳＢデバイス機能としても使用可能とし、接続される機器により、自動的に機能を切り替えることもできる。
【図面の簡単な説明】
【００１４】
【図１】本実施形態におけるシステム全体を示す外観図である。
【図２】第１実施形態における機能構成を説明するための図である。
【図３】第１実施形態における処理の流れを説明するフロー図である。
【図４】第２実施形態における機能構成を説明するための図である。
【図５】第３実施形態における機能構成を説明するための図である。
【図６】第３実施形態における処理の流れを説明するフロー図である。
【図７】第３実施形態における処理の流れを説明するフロー図である。
【図８】第４実施形態を説明するための図である。
【発明を実施するための形態】
【００１５】
以下、図面を参照して本発明を実施するための最良の形態について説明する。なお、説明の都合上、実施形態を例に取って説明するが、表示操作が可能な装置であれば、何れの装置であっても適用可能なことは勿論である。
【００１６】
［１．第１実施形態］
図１は、本発明を適用した画像表示システム１である。画像表示システム１は、画像出力装置として画像送信装置１０と、画像表示装置として画像受信装置２０とがケーブルを介して接続されている。なお、画像とは、動画、静止画を含むものであり、表示装置に映像として表示されるものであれば、例えば、３Ｄ映像等も含まれるものである。
【００１７】
ここで、画像を表示（転送）するために、データ送信側（画像送信装置１０）と、データ受信側とのＩＦ（画像受信装置２０）に、Ｔｈｉｎｅ社が開発した、Ｖ−Ｂｙ−Ｏｎｅ  ＨＳを用いる。
【００１８】
ここで、Ｖ−Ｂｙ−Ｏｎｅ  ＨＳは、差動１ペアケーブルのみで映像信号の伝送を可能にしている規格である。ＣＰＵに負担をかけること無く、高速データ通信が可能となる。また、Ｖ−Ｂｙ−Ｏｎｅ  ＨＳは、ＳｅｒＤｅｓに加え、クロック・データ・リカバリ等の技術を取り入れ、１ペアあたり３．７５Ｇｂｐｓの高速伝送を実現しながら、スキューの問題を解決すると共に、ＥＭＩ、消費電力を低減している。また、伝送ペア数の削減でケーブル・コネクタなどのトータルコスト低減が可能とされる。
【００１９】
また、Ｖ−ｂｙ−Ｏｎｅ  ＨＳは、開発元のＴｈｉｎｅ社より仕様が公開されており、ライセンスについても、契約のみで、費用は発生しないという利点がある。
【００２０】
ここで、伝送ラインのＩＦについては、差動インピーダンス１００Ωのケーブルであれば、通信が可能である。したがって、伝送ケーブルとして、ＵＳＢケーブルを用いることが可能である。本実施形態では、ケーブル１５として、ＵＳＢケーブルを用いて接続されている。
【００２１】
次に、本実施形態における機能構成の概略につて、図２を用いて説明する。図２は、画像送信装置１０と、画像受信装置２０とが、ケーブル１５を介して接続されている。
【００２２】
画像送信装置１０は、画像データを記憶するための画像データ記憶領域１０２が確保されており、画像データの転送処理を行う画像データ転送制御装置１０４と、Ｖ−ｂｙ−Ｏｎｅ  ＨＳの送信機能を実現するＩＣとして、Ｖ−ｂｙ−Ｏｎｅ  ＨＳ送信機能ＩＣ１０６とを含んで構成されている。
【００２３】
また、伝送用コネクタ１０８が設けられており、ケーブル１５が装着されることとなる。なお、本実施形態では、伝送用コネクタ１０８、ケーブル１５はＵＳＢの規格（例えば、ＵＳＢ３．０用の信号ケーブル）が利用されることとする。
【００２４】
また、画像受信装置２０にも伝送用コネクタ２５６が設けられている。そして、ケーブル１５を介して、伝送用コネクタ１０８と、伝送用コネクタ２５６とが接続される。すなわち、伝送用コネクタとは、本実施形態においてはインタフェースのことであり、ＵＳＢ接続コネクタを示している。
【００２５】
更に画像受信装置２０は、Ｖ−ｂｙ−Ｏｎｅ  ＨＳ受信機能ＩＣ２５４が設けられており、受信された信号から画像信号を抽出し、表示装置２５２に出力する。そして、表示装置２５２に映像が表示されることとなる。
【００２６】
（処理の流れ）
続いて、第１実施形態における処理の流れを図３を用いて説明する。
【００２７】
まず、機器間において、ケーブル接続が行われたか否かを検出する（ステップＳ１０２）。ケーブルが接続された場合、すなわち送受信が可能となった場合には（ステップＳ１０２；Ｙｅｓ）、送受信側のＶ−ｂｙ−Ｏｎｅ  ＨＳのスタートアップ処理を開始する（ステップＳ１０４）。すなわち、両者の機器のＶ−ｂｙ−Ｏｎｅ  ＨＳのＩＣ同士が規格に基づくスタートアップ処理を行う。
【００２８】
このスタートアップ処理は、両者がＶ−ｂｙ−Ｏｎｅ  ＨＳ規格で伝送可能であるかどうかを認識するために必要な処理であり、Ｖ−ｂｙ−Ｏｎｅ  ＨＳのＩＣ（Ｖ−ｂｙ−Ｏｎｅ  ＨＳ送信機能ＩＣ１０６、Ｖ−ｂｙ−Ｏｎｅ  ＨＳ受信機能ＩＣ２５４）が自動で行う処理である。
【００２９】
スタートアップ処理が正常に完了すると（ステップＳ１０６；Ｙｅｓ）、画像送信装置１０のＶ−ｂｙ−Ｏｎｅ  ＨＳ送信機能ＩＣ１０６がデータ転送可能となる。したがって、画像データ転送制御装置１０４は、画像データ記憶領域１０２に保存された画像データを、Ｖ−ｂｙ−Ｏｎｅ  ＨＳ送信機能ＩＣ１０６に出力する。
【００３０】
Ｖ−ｂｙ−Ｏｎｅ  ＨＳ送信機能ＩＣ１０６は、（ＵＳＢ）ケーブル１５を介して、Ｖ−ｂｙ−Ｏｎｅ  ＨＳ受信機能ＩＣ２５４に画像の転送をする（ステップＳ１０８）。
【００３１】
ここで、Ｖ−ｂｙ−Ｏｎｅ  ＨＳ受信機能ＩＣ２５４が、画像データを受信すると、受信した画像データを、表示装置２５２に表示する（ステップＳ１１０）。
【００３２】
送信側の制御装置（画像データ転送制御装置１０４）と、Ｖ−ｂｙ−Ｏｎｅ  ＨＳ間のデータについては、制御装置内のハードマクロとしてＬＶＤＳＩＦのＩＰ等を用いることで、ハード的に画像データをＬＶＤＳ（Low Voltage Differential Signaling）に変換することが可能である。
【００３３】
また、画像データ転送制御装置１０４において、画像データ記憶領域１０２からデータを転送する際に、ＤＭＡ（Direct Memory Access）機能を持たせることで、ソフト負荷に影響すること無く、データ転送が可能となる。したがって、画像データの送受信全体において、ソフトの負荷を低減することが可能となる。
【００３４】
［２．第２実施形態］
続いて、第２実施形態について説明する。第２実施形態は、機器外部への、ＵＳＢインタフェースでの画像表示装置を用いないケースを説明する。すなわち、表示装置が一体型となっている装置である。
【００３５】
図４に第２実施形態における表示装置３０の機能構成を説明するための図を示す。なお、図２に示した機能構成の図と同一の機能構成には同一の符号を付しており、その説明を省略する。
【００３６】
すなわち、表示装置が、画像送信用装置に一体化となる装置では、装置内部でハーネス接続される。伝送用コネクタ３０２及び伝送用コネクタ３０４は、内部接続用のインタフェースで実現可能であり、伝送用ケーブル１７も、装置内部で使用されるものである。また、伝送用ケーブル１７は、第１実施形態と同様にＵＳＢケーブルを利用する。
【００３７】
更に、第２実施形態における装置の場合、サブディスプレイを使用しない場合は、ＵＳＢポートが不要となる。その場合は、外部へのＵＳＢポートを削除しコストダウンがはかれるとともに、静電気等の影響を少なくすることが可能である。
【００３８】
このように、装置内部での通信において、Ｖ−ｂｙ−Ｏｎｅ  ＨＳを用いた接続を行う場合でも、内部のハーネスにＵＳＢケーブルを用いることが可能となる。
【００３９】
［３．第３実施形態］
続いて第３実施形態について説明する。第３実施形態は、外部へのＵＳＢインタフェースへの画像表示装置も可能で、且つ、外部表示装置を用いない場合に、他のＵＳＢデバイス接続された際に、自動認識して、そのＵＳＢデバイスを使用する実施形態を説明する。
【００４０】
図５に第３実施形態における機能構成を説明する図を示す。なお、図２に示した機能構成の図と略同一の機能構成には同一の符号を付しており、その説明を省略する。
【００４１】
図５では、接続コネクタ４０４（接続コネクタ４５２）が設けられている。この接続コネクタは、第１実施形態の伝送用コネクタと同様の構成であり、ＵＳＢ（本実施形態においてはＵＳＢ３．０）のケーブル１５が接続可能なＩＦである。
【００４２】
第１実施形態と異なるのは、接続コネクタは汎用のコネクタである。すなわち、画像送信装置４０の接続コネクタ４０４に、他のＵＳＢ装置（例えばＵＳＢメモリ）が接続可能である。この場合、Ｖ−ｂｙ−Ｏｎｅ  ＨＳ送信機能ＩＣ１０６が、Ｖ−ｂｙ−Ｏｎｅ  ＨＳの装置ではないと検出し、画像データ転送制御装置１０４に通知する。
【００４３】
画像データ転送制御装置１０４は、ＵＳＢスイッチ４０２に対して制御信号を送り、ＵＳＢスイッチにより信号線が切り替えられる。
【００４４】
（処理の流れ）
具体的な処理について、図６を用いて説明する。なお、本図における処理は、第１実施形態における処理とは同一の符号を付して、その詳細な説明を省略する。
【００４５】
すなわち、送受信側のＶ−ｂｙ−Ｏｎｅ  ＨＳのスタートアップ処理を開始し（ステップＳ１０４）、スタートアップ処理が完了したか否かを判定する（ステップＳ１０６）。ここで、スタートアップ処理が完了しない場合（ステップＳ１０６；Ｎｏ）、送信側のＶ−ｂｙ−Ｏｎｅ  ＨＳ送信機能ＩＣ１０６は、接続コネクタ４０４に接続されている相手が、Ｖ−ｂｙ−Ｏｎｅ  ＨＳ対応のデバイスではないと判断する。
【００４６】
そして、画像データ転送制御装置１０４に通知を行う（ステップＳ２０２）。Ｖ−ｂｙ−Ｏｎｅ  ＨＳのＩＣにはＧＰＩＯ機能を持つものも有り、この通知用として使用することが可能である。
【００４７】
また、接続された装置が、対応装置でないことを、例えばＬＯＣＫＮ信号が検出されないことにより判定することもできる。
【００４８】
ここで、接続された装置が、対応装置ではないと判断した場合に、ＵＳＢ装置として切り替えて使用しても良い。例えば、図７に示すように、ステップＳ２０２の後、ＵＳＢ初期化処理を実行する（ステップＳ２５２）。
【００４９】
そして、ＵＳＢ初期化が完了したら、ＵＳＢデバイスクラスの確認を行う（ステップＳ２５４）。これにより、接続されたＵＳＢ装置に対応するデバイスドライバがある場合には（ステップＳ２５６；Ｙｅｓ）、接続されたＵＳＢデバイスが使用可能となる（ステップＳ２５８）。
【００５０】
なお、Ｖ−ｂｙ−Ｏｎｅ  ＨＳ用のＵＳＢＩＦ信号と、Ｖ−ｂｙ−Ｏｎｅ  ＨＳ以外のＵＳＢＩＦの信号は、画像データ転送制御装置が制御信号を出力し、ＵＳＢスイッチ機能を持つＩＣ等を用いることで、信号ラインのスイッチを切り替えることにより実現可能である。
【００５１】
このように、本実施形態によれば、外部装置等を接続するＵＳＢポートのうち、一つをＶ−ｂｙ−Ｏｎｅ  ＨＳ用のポートとして流用することも可能となる。また、Ｖ−ｂｙ−Ｏｎｅ  ＨＳ用のポートを、汎用ＵＳＢポートとして流用することも可能となる。
【００５２】
［４．第４実施形態］
続いて、第４実施形態について説明する。上述した実施形態では、ＵＳＢ３．０を用いて説明したが、例えばＵＳＢ２．０を用いて実現することとしてもよい。ここで、ＵＳＢ信号線と、Ｖ−ｂｙ−Ｏｎｅ  ＨＳの信号線との関係を図８に示す。
【００５３】
例えば、図８（ａ）に示すように、解像度と、画像リフレッシュレートとに対してレーン数がいくつ必要かを示した図である。
【００５４】
例えば、解像度が「１９２０×１０８０」、リフレッシュレートが６０Ｈｚの場合、必要なレーン数は「２」となる。
【００５５】
ここで、ＵＳＢ２．０の場合の利用方法として図８（ｂ）に、ＵＳＢ３．０の場合の利用方法として図８（ｃ）に示す。ＵＳＢ２．０のケーブルを利用した場合は、レーン数を１つ、ＵＳＢ３．０のケーブルを利用した場合にはレーン数を２つ確保できる。
【００５６】
Ｖ−ｂｙ−Ｏｎｅ  ＨＳの信号線は、１レーンの場合、６０Ｈｚのリフレッシュレートで解像度７２０ｐ（１２８０×７２０）のＨＤＴＶレベルを通信可能であり、
・差動１ペア（２本）
・ＨＴＰＤＮ（ＨｏｔＰｌｕｇＤｅｔｅｃｔ：ホットプラグ検出）
・ＬＯＣＫＮ（Ｌｏｃｋ  Ｄｅｔｅｃｔ：ロック検出）
の計４本からなる。なお、ＬＯＣＫＮは、受信側がアサートする信号で、Ｌｏｗでスタートアップ処理が完了したことを示す。
【００５７】
また、ＨＴＰＤＮは、受信側がアサートする信号で、Ｌｏｗでデバイスがアクティブな状態を示す。
【００５８】
ＨＴＰＤＮはオプションであるため、使用しなくても良いため、最小３本の信号線で実現可能であるが、機器間を同電位に保つため、ＧＮＤ端子が必要なため、合計４本となる。
【００５９】
Ｖ−ｂｙ−Ｏｎｅ  ＨＳの通信ラインは、差動インピーダンス１００Ωに整合されたケーブルであれば、種類を問わないため、例えばＵＳＢケーブルが使用可能である。
【００６０】
したがって、上記１レーンの構成であれば、４本必要となることから、ＵＳＢ２．０のケーブルが使用可能である。図８（ｂ）に示すように、差動ラインにＤ＋，Ｄ−を接続し、Ｖｂｕｓ端子にＬＯＣＫＮを接続し、ＧＮＤ端子接続することで、実現可能である。但し、Ｖ−ｂｙ−Ｏｎｅ  ＨＳのレーンのビットレートが６００Ｍｂｐｓ〜３．７５Ｇｂｐｓに対し、ＵＳＢ２．０が４８０Ｍｂｐｓであることから、信号品質を保った伝送ができない可能性がある。
【００６１】
一方、ＵＳＢ３．０は、規格上５Ｇｂｐｓのビットレートであり、Ｖ−ｂｙ−Ｏｎｅ  ＨＳの仕様を満たす。また、ＵＳＢ３．０のケーブルは、差動３ペア、ＧＮＤ２本、Ｖｂｕｓ１本の合計９本の信号線となることから、Ｖ−ｂｙ−Ｏｎｅ  ＨＳのレーン数を増やすことが可能である。
【００６２】
Ｖ−ｂｙ−Ｏｎｅ  ＨＳのデバイスには、２レーンのタイプがあり、ＵＳＢ３．０ケーブルと組み合わせることで、リフレッシュレートを上げたり、また解像度１０８０ｐ（１９２０×１０８０）のＦｕｌｌ−ＨＤＴＶレベルにも対応可能である。
【００６３】
このようの、上述した実施形態によれば、Ｖ−ｂｙ−Ｏｎｅ  ＨＳの信号伝送インタフェースを用いて、ＵＳＢのハーネス経由でＬＣＤ等に画像表示させることが可能となる。また、既存のＵＳＢコネクタを用いて、画像表示させる機能を持つと共に、通常のＵＳＢデバイス機能としても使用可能とし、接続される機器により、自動的に機能を切り替えることもできる。
【００６４】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００６５】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００６６】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００６７】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００６８】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【００６９】
１０  画像送信装置
１０２  画像データ記憶領域
１０４  画像データ転送制御装置
１０６  Ｖ−ｂｙ−Ｏｎｅ  ＨＳ送信機能ＩＣ
１０８  伝送用コネクタ
１５  ケーブル
２０  画像受信装置
２５２  表示装置
２５４  Ｖ−ｂｙ−Ｏｎｅ  ＨＳ受信機能ＩＣ
２５６  伝送用コネクタ
【図１】
2016025593.tif 000003
【図２】
2016025593.tif 000004
【図３】
2016025593.tif 000005
【図４】
2016025593.tif 000006
【図５】
2016025593.tif 000007
【図６】
2016025593.tif 000008
【図７】
2016025593.tif 000009
【図８】
2016025593.tif 000010